(57)【要約】【課題】ユーザが手軽に商品を得られる商品提供システム、商品提供装置および商品提供方法を提供する。【解決手段】ユーザＩＤ２３ａを格納している携帯端末装置２は、表示媒体１からコンテンツＩＤ１２ａを取得すると、コンテンツＩＤ１２ａとユーザＩＤ２３ａとをコンテンツ提供サーバ４に送信する。コンテンツ提供サーバ４は、コンテンツＩＤ１２ａおよびユーザＩＤ２３ａを受信すると、コンテンツＩＤ１２ａに関連づけられたコンテンツを、ユーザＩＤ２３ａに関連づけられた格納装置３に提供する。【選択図】図１
2007109061.tif 000002
【特許請求の範囲】
【請求項１】
商品を特定するための商品識別情報を表示する表示媒体と、前記表示媒体から前記商品識別情報を取得して送信する携帯端末装置と、前記携帯端末装置が送信した商品識別情報にて特定される商品を前記携帯端末装置に対応する受取先へ提供させる商品提供装置と、を含む商品提供システムであって、
前記携帯端末装置は、
前記携帯端末装置を特定するためのユーザ識別情報を格納する格納部と、
前記表示媒体から前記商品識別情報を取得する取得部と、
前記取得部にて取得された商品識別情報と、前記格納部に格納されたユーザ識別情報と、を前記商品提供装置に送信する送信部と、を含み、
前記商品提供装置は、
予め前記ユーザ識別情報に関連づけて前記受取先を格納する関連情報格納部と、
前記送信部から前記商品識別情報および前記ユーザ識別情報を受信する受信部と、
前記受信部が前記商品識別情報および前記ユーザ識別情報を受信すると、該商品識別情報にて特定される商品を、該ユーザ識別情報に関連づけられた受取先へ提供させる制御部と、を含む、商品提供システム。
【請求項２】
請求項１に記載の商品提供システムにおいて、
前記表示媒体は、該表示媒体の位置を示す位置情報をさらに示し、
前記取得部は、前記表示媒体から前記位置情報をさらに取得し、
前記送信部は、前記商品提供装置に前記位置情報をさらに送信し、
前記受信部は、前記送信部から前記位置情報をさらに受信し、
前記商品提供装置は、前記受信部にて受信された商品識別情報および位置情報を関連づけて格納する受信情報格納部をさらに含む、商品提供システム。
【請求項３】
自己を識別するためのユーザ識別信号を格納する携帯記録媒体と、前記携帯記録媒体から前記ユーザ識別信号を取得し該ユーザ識別信号と商品を特定するための商品識別情報とを送信する通信装置と、前記通信装置が送信した商品識別情報にて特定される商品を前記携帯記録媒体に対応する受取先へ提供させる商品提供装置と、を含む商品提供システムであって、
前記通信装置は、
前記商品識別情報を格納する格納部と、
前記携帯記録媒体から前記ユーザ識別情報を取得する取得部と、
前記取得部にて取得されたユーザ識別情報と、前記格納部に格納された商品識別情報と、を前記商品提供装置に送信する送信部と、を含み、
前記商品提供装置は、
予め前記ユーザ識別情報に関連づけて前記受取先を格納する関連情報格納部と、
前記送信部から前記商品識別情報および前記ユーザ識別情報を受信する受信部と、
前記受信部が前記商品識別情報および前記ユーザ識別情報を受信すると、該商品識別情報にて特定される商品を、該ユーザ識別情報に関連づけられた受取先へ提供させる制御部と、を含む、商品提供システム。
【請求項４】
請求項３に記載の商品提供システムにおいて、
前記格納部は、前記通信装置の位置を示す位置情報をさらに格納し、
前記送信部は、前記商品提供装置に前記位置情報をさらに送信し、
前記受信部は、前記送信部から前記位置情報をさらに受信し、
前記商品提供装置は、前記受信部にて受信された商品識別情報および位置情報を関連づけて格納する受信情報格納部をさらに含む、商品提供システム。
【請求項５】
請求項１ないし４のいずれか１項に記載の商品提供システムにおいて、
前記商品提供装置は、現在の日時を示す日時情報を生成する日時出力部をさらに含み、
前記制御部は、前記受信部が前記商品識別情報および前記ユーザ識別情報を受信すると、該商品識別情報および該ユーザ識別情報を受信した日時を前記日時出力部から取得し、該受信した日時と該商品識別情報とに基づいて、該ユーザ識別情報に対する課金を制御する、商品提供システム。
【請求項６】
送信装置が送信した商品識別情報にて特定される商品を、前記送信装置が送信したユーザ識別情報に対応する受取先へ提供させる商品提供装置であって、
予め前記ユーザ識別情報に関連づけて前記受取先を格納する関連情報格納部と、
前記送信装置から、前記商品識別情報および前記ユーザ識別情報を受信する受信部と、
前記受信部が前記商品識別情報および前記ユーザ識別情報を受信すると、該商品識別情報にて特定された商品を、該ユーザ識別情報に関連づけられた受取先へ提供させる制御部と、を含む商品提供装置。
【請求項７】
商品を特定するための商品識別情報を表示する表示媒体と、自己を特定するためのユーザ識別情報を格納し前記表示媒体から前記商品識別情報を取得して送信する携帯端末装置と、予め前記ユーザ識別情報に関連づけて受取先を格納する関連情報格納部を含み前記携帯端末装置が送信した商品識別情報にて特定される商品を前記受取先へ提供させる商品提供装置と、を含む商品提供システムが行う商品提供方法であって、
前記携帯端末装置が、前記表示媒体から前記商品識別情報を取得する取得ステップと、
前記携帯端末装置が、前記取得された商品識別情報と、前記ユーザ識別情報と、を前記商品提供装置に送信する送信ステップと、
前記商品提供装置が、前記送信された商品識別情報およびユーザ識別情報を受信する受信ステップと、
前記商品提供装置が、前記商品識別情報にて特定される商品を、前記ユーザ識別情報に関連づけられた受取先へ提供させる提供ステップと、を含む、商品提供方法。
【請求項８】
自己を識別するためのユーザ識別信号を格納する携帯記録媒体と、商品を特定するための商品識別情報を格納し前記携帯記録媒体から前記ユーザ識別信号を取得し該ユーザ識別信号と該商品識別情報とを送信する通信装置と、予め前記ユーザ識別情報に関連づけて受取先を格納する関連情報格納部を含み前記通信装置が送信した商品識別情報にて特定される商品を前記受取先へ提供させる商品提供装置と、を含む商品提供システムが行う商品提供方法であって、
前記通信装置が、前記携帯記録媒体から前記ユーザ識別情報を取得する取得ステップと、
前記通信装置が、前記取得されたユーザ識別情報と、前記商品識別情報と、を前記商品提供装置に送信する送信ステップと、
前記商品提供装置が、前記商品識別情報および前記ユーザ識別情報を受信する受信ステップと、
前記商品提供装置が、前記商品識別情報にて特定される商品を、前記ユーザ識別情報に関連づけられた受取先へ提供させる提供ステップと、を含む、商品提供方法。
【請求項９】
ユーザ識別情報に関連づけて受取先を格納する関連情報格納部を含み、送信装置が送信した商品識別情報にて特定される商品を前記送信装置が送信したユーザ識別情報に対応する受取先へ提供させる商品提供装置が行う商品提供方法であって、
前記送信装置から、前記商品識別情報と前記ユーザ識別情報とを受信する受信ステップと、
前記受信された商品識別情報にて特定される商品を、前記受信されたユーザ識別情報に関連づけられた受取先へ提供させる提供ステップと、を含む、商品提供方法。
【請求項１０】
ユーザ識別情報に関連づけて受取先を格納する関連情報格納部に接続されたコンピュータに、送信装置が送信した商品識別情報にて特定される商品を、前記送信装置が送信した前記ユーザ識別情報に関連づけられた受取先へ提供させる商品提供処理を実行させるプログラムであって、
前記送信装置から、前記商品識別情報と前記ユーザ識別情報とを受信する受信処理と、
前記受信された商品識別情報にて特定される商品を、前記受信されたユーザ識別情報に関連づけられた受取先へ提供させる提供処理と、を含む商品提供処理を、前記コンピュータに実行させるプログラム。
【発明の詳細な説明】
【技術分野】
【０００１】
本発明は、商品提供システム、商品提供装置、商品提供方法およびプログラムに関し、特には、携帯端末装置または通信装置等の送信装置が送信した商品識別情報にて特定される商品を、その送信装置に対応する受取先へ提供させる商品提供システム、商品提供装置、商品提供方法およびプログラムに関する。
【背景技術】
【０００２】
従来、広告等を見て、映画、ＴＶ番組または音楽等のデジタルコンテンツ、または、雑誌等の書籍を、自宅で鑑賞したくなった人は、そのデジタルコンテンツが記録された記録媒体（例えば、ＤＶＤまたはＣＤ）または書籍を購入したり、その記録媒体をレンタルしたりする。
【０００３】
また、映画または音楽等のデジタルコンテンツを、通信回線を介してユーザ端末装置に提供するコンテンツ提供装置が知られている。
【０００４】
従来のコンテンツ提供装置は、ユーザ端末装置からアクセスされると、ユーザ端末装置に提供可能なデジタルコンテンツのリストをユーザ端末装置に提供する。
【０００５】
ユーザ端末装置は、そのリストの中から所定のデジタルコンテンツがユーザによって選択されると、その所定のデジタルコンテンツを要求する旨のコンテンツ要求をコンテンツ提供装置に出力する。
【０００６】
コンテンツ提供装置は、コンテンツ要求を受け付けると、そのコンテンツ要求にて要求された所定のデジタルコンテンツを、そのコンテンツ要求を出力したユーザ端末装置に提供する。
【０００７】
ユーザは、ユーザ端末装置を用いて所定のデジタルコンテンツを鑑賞する。
【発明の開示】
【発明が解決しようとする課題】
【０００８】
ユーザが、広告等を見て、ＤＶＤ等の記録媒体または書籍を購入したりレンタルしたりしたくなった場合、ユーザは、記録媒体または書籍を得るために店まで足を運ぶという面倒な作業を行わなければならなかった。よって、ユーザは、欲しい商品を簡単に入手できない。
【０００９】
また、ユーザは、広告を見終わると、記録媒体または書籍を購入したりレンタルしたりしたいという気持ちを忘れてしまう可能性がある。
【００１０】
一方、販売店およびレンタルショップは、お客が店まで足を運ぶという面倒な作業を行わないと、売上を伸ばすことができない。
【００１１】
また、従来のコンテンツ提供装置は、コンテンツ要求を出力したユーザ端末装置にデジタルコンテンツを提供するため、記憶要求の小さいユーザ端末装置（例えば、携帯電話機）が使用されると、ユーザ端末装置はデジタルコンテンツを格納できない可能性がある。
【００１２】
このため、ユーザは、デジタルコンテンツを格納可能なユーザ端末装置を選定し、その選定されたユーザ端末装置から、コンテンツ要求をコンテンツ提供装置に出力しなければならない。よって、ユーザは、例えば、普段携帯している携帯電話機を用いて、手軽にコンテンツ要求をコンテンツ提供装置に出力することができない。
【００１３】
本発明の目的は、ユーザが手軽に商品を得られる商品提供システム、商品提供装置および商品提供方法を提供することである。
【課題を解決するための手段】
【００１４】
上記目的を達成するために、本発明の商品提供システムは、商品を特定するための商品識別情報を表示する表示媒体と、前記表示媒体から前記商品識別情報を取得して送信する携帯端末装置と、前記携帯端末装置が送信した商品識別情報にて特定される商品を前記携帯端末装置に対応する受取先へ提供させる商品提供装置と、を含む商品提供システムであって、前記携帯端末装置は、前記携帯端末装置を特定するためのユーザ識別情報を格納する格納部と、前記表示媒体から前記商品識別情報を取得する取得部と、前記取得部にて取得された商品識別情報と、前記格納部に格納されたユーザ識別情報と、を前記商品提供装置に送信する送信部と、を含み、前記商品提供装置は、予め前記ユーザ識別情報に関連づけて前記受取先を格納する関連情報格納部と、前記送信部から前記商品識別情報および前記ユーザ識別情報を受信する受信部と、前記受信部が前記商品識別情報および前記ユーザ識別情報を受信すると、該商品識別情報にて特定される商品を、該ユーザ識別情報に関連づけられた受取先へ提供させる制御部と、を含む。
【００１５】
また、本発明の商品提供方法は、商品を特定するための商品識別情報を表示する表示媒体と、自己を特定するためのユーザ識別情報を格納し前記表示媒体から前記商品識別情報を取得して送信する携帯端末装置と、予め前記ユーザ識別情報に関連づけて受取先を格納する関連情報格納部を含み前記携帯端末装置が送信した商品識別情報にて特定される商品を前記受取先へ提供させる商品提供装置と、を含む商品提供システムが行う商品提供方法であって、前記携帯端末装置が、前記表示媒体から前記商品識別情報を取得する取得ステップと、前記携帯端末装置が、前記取得された商品識別情報と、前記ユーザ識別情報と、を前記商品提供装置に送信する送信ステップと、前記商品提供装置が、前記送信された商品識別情報およびユーザ識別情報を受信する受信ステップと、前記商品提供装置が、前記商品識別情報にて特定される商品を、前記ユーザ識別情報に関連づけられた受取先へ提供させる提供ステップと、を含む。
【００１６】
上記の発明によれば、携帯端末装置は、表示媒体から商品識別情報を取得すると、商品識別情報とユーザ識別情報とを商品提供装置に送信する。商品提供装置は、商品識別情報およびユーザ識別情報を受信すると、商品識別情報にて特定される商品を、ユーザ識別情報に関連づけられた受取先へ提供させる。
【００１７】
このため、ユーザは、携帯端末装置を用いて、例えばワンタッチで、簡単に所望の商品を入手できる。
【００１８】
よって、ユーザは、例えば、コンテンツが記録された記録媒体等の商品を得るために店まで足を運ぶという面倒な作業を行わなくて済むようになる。また、受取先が適宜設定されれば、商品がコンテンツである場合に、ユーザはコンテンツを格納できない携帯端末装置を用いて所望のコンテンツを要求することが可能になる。
【００１９】
なお、表示媒体が、多くの人の目に留まる場所（例えば、駅、電車の中、バス等の車中、街頭、病院の待合室、飲食店内、または、遊園地等のアミューズメント施設）に設置されれば、ユーザは、商品識別情報を取得しやすくなる。
【００２０】
例えば、ユーザは、通勤途中、通学途中、帰宅途中、外食中、または、何らかの待ち時間の間に、表示媒体を目にすれば、その場で商品識別情報を取得して所望の商品を簡単に要求し、その商品を入手することが可能になる。
【００２１】
よって、ユーザは、所望の商品を手に入れたいと思ったら、直ちに、その所望の商品を注文し、その商品を入手することが可能となる。よって、ユーザが所望の商品を入手し忘れる確率を低くすることが可能になる。
【００２２】
ユーザが商品を注文しやすくなり、また、ユーザが商品を注文し忘れなくなると、商品提供装置による商品提供作業が盛んになる可能性が高くなる。よって、商品提供による事業の運営を良好にすることが可能になる。
【００２３】
また、前記表示媒体は、該表示媒体の位置を示す位置情報をさらに示し、前記取得部は、前記表示媒体から前記位置情報をさらに取得し、前記送信部は、前記商品提供装置に前記位置情報をさらに送信し、前記受信部は、前記送信部から前記位置情報をさらに受信し、前記商品提供装置は、前記受信部にて受信された商品識別情報および位置情報を関連づけて格納する受信情報格納部をさらに含むことが望ましい。
【００２４】
上記の発明によれば、受信情報格納部に格納された情報を用いて、地域ごとに好まれる商品を調査することが可能になる。例えば、受信情報格納部に格納された情報を用いて、どこで、どのような商品が好まれているのかを調べることが可能になる。このため、受信情報格納部に格納された情報をマーケティングに利用することが可能になる。
【００２５】
また、本発明の商品提供システムは、自己を識別するためのユーザ識別信号を格納する携帯記録媒体と、前記携帯記録媒体から前記ユーザ識別信号を取得し該ユーザ識別信号と商品を特定するための商品識別情報とを送信する通信装置と、前記通信装置が送信した商品識別情報にて特定される商品を前記携帯記録媒体に対応する受取先へ提供させる商品提供装置と、を含む商品提供システムであって、前記通信装置は、前記商品識別情報を格納する格納部と、前記携帯記録媒体から前記ユーザ識別情報を取得する取得部と、前記取得部にて取得されたユーザ識別情報と、前記格納部に格納された商品識別情報と、を前記商品提供装置に送信する送信部と、を含み、前記商品提供装置は、予め前記ユーザ識別情報に関連づけて前記受取先を格納する関連情報格納部と、前記送信部から前記商品識別情報および前記ユーザ識別情報を受信する受信部と、前記受信部が前記商品識別情報および前記ユーザ識別情報を受信すると、該商品識別情報にて特定される商品を、該ユーザ識別情報に関連づけられた受取先へ提供させる制御部とを含む。
【００２６】
また、本発明の商品提供方法は、自己を識別するためのユーザ識別信号を格納する携帯記録媒体と、商品を特定するための商品識別情報を格納し前記携帯記録媒体から前記ユーザ識別信号を取得し該ユーザ識別信号と該商品識別情報とを送信する通信装置と、予め前記ユーザ識別情報に関連づけて受取先を格納する関連情報格納部を含み前記通信装置が送信した商品識別情報にて特定される商品を前記受取先へ提供させる商品提供装置と、を含む商品提供システムが行う商品提供方法であって、前記通信装置が、前記携帯記録媒体から前記ユーザ識別情報を取得する取得ステップと、前記通信装置が、前記取得されたユーザ識別情報と、前記商品識別情報と、を前記商品提供装置に送信する送信ステップと、前記商品提供装置が、前記商品識別情報および前記ユーザ識別情報を受信する受信ステップと、前記商品提供装置が、前記商品識別情報にて特定される商品を、前記ユーザ識別情報に関連づけられた受取先へ提供させる提供ステップとを含む。
【００２７】
上記の発明によれば、通信装置は、携帯記録媒体からユーザ識別情報を取得すると、商品識別情報とユーザ識別情報とを商品提供装置に送信する。商品提供装置は、商品識別情報およびユーザ識別情報を受信すると、商品識別情報にて特定された商品を、ユーザ識別情報に関連づけられた受取先へ提供させる。
【００２８】
このため、ユーザは、通信装置に、携帯記録媒体のユーザ識別情報を読み取らせれば、例えばワンタッチで、簡単に所望の商品を入手できる。
【００２９】
よって、ユーザは、例えば、コンテンツが記録されたＤＶＤ等の記録媒体を得るために店まで足を運ぶという面倒な作業を行わなくて済むようになる。また、受取先が適宜設定されれば、商品がコンテンツである場合に、ユーザはコンテンツを格納できない携帯記録媒体を用いて所望のコンテンツを要求することが可能になる。
【００３０】
なお、通信装置が、多くの人の目に留まる場所（例えば、駅、電車の中、バス等の車中、街頭、病院の待合室、飲食店内、または、遊園地等のアミューズメント施設）に設置されれば、ユーザは、通信装置を使用しやすくなる。
【００３１】
例えば、ユーザは、通勤途中、通学途中、帰宅途中、または、何らかの待ち時間の間に、通信装置を目にすれば、その場で、通信装置に携帯記録媒体のユーザ識別情報を読み取らせることによって所望の商品を簡単に要求し、その商品を入手することが可能になる。
【００３２】
よって、ユーザは、所望の商品を手に入れたいと思ったら、直ちに、その所望の商品を注文しその商品を入手することが可能となる。よって、ユーザが所望の商品を入手し忘れる確率を低くすることが可能になる。
【００３３】
ユーザが商品を注文しやすくなり、また、ユーザが商品を注文し忘れなくなると、商品提供装置による商品提供作業が盛んになる可能性が高くなる。よって、商品提供による事業の運営を良好にすることが可能になる。
【００３４】
また、前記格納部は、前記通信装置の位置を示す位置情報をさらに格納し、前記送信部は、前記商品提供装置に前記位置情報をさらに送信し、前記受信部は、前記送信部から前記位置情報をさらに受信し、前記商品提供装置は、前記受信部にて受信された商品識別情報および位置情報を関連づけて格納する受信情報格納部をさらに含むことが望ましい。
【００３５】
上記の発明によれば、受信情報格納部に格納された情報を用いて、地域ごとに好まれる商品を調査することが可能になる。例えば、受信情報格納部に格納された情報を用いて、どこで、どのような商品が好まれているのかを調べることが可能になる。このため、受信情報格納部に格納された情報をマーケティングに利用することが可能になる。
【００３６】
また、前記商品提供装置は、現在の日時を示す日時出力部をさらに含み、前記制御部は、前記受信部が前記商品識別情報および前記ユーザ識別情報を受信すると、該商品識別情報および該ユーザ識別情報を受信した日時を前記日時出力部から取得し、該受信した日時と該商品識別情報とに基づいて、該ユーザ識別情報に対する課金を制御することが望ましい。
【００３７】
上記の発明によれば、商品の料金が日付によって変更されても、その変更された料金を自動的に管理することが可能になる。
【００３８】
また、本発明の商品提供装置は、送信装置が送信した商品識別情報にて特定される商品を、前記送信装置が送信したユーザ識別情報に対応する受取先へ提供させる商品提供装置であって、予め前記ユーザ識別情報に関連づけて前記受取先を格納する関連情報格納部と、前記送信装置から、前記商品識別情報および前記ユーザ識別情報を受信する受信部と、前記受信部が前記商品識別情報および前記ユーザ識別情報を受信すると、該商品識別情報にて特定された商品を、該ユーザ識別情報に関連づけられた受取先へ提供させる制御部と、を含む。
【００３９】
また、本発明の商品提供方法は、ユーザ識別情報に関連づけて受取先を格納する関連情報格納部を含み、送信装置が送信した商品識別情報にて特定される商品を前記送信装置が送信したユーザ識別情報に対応する受取先へ提供させる商品提供装置が行う商品提供方法であって、前記送信装置から、前記商品識別情報と前記ユーザ識別情報とを受信する受信ステップと、前記受信された商品識別情報にて特定される商品を、前記受信されたユーザ識別情報に関連づけられた受取先へ提供させる提供ステップとを含む。
【００４０】
上記の発明によれば、商品提供装置は、商品識別情報およびユーザ識別情報を受信すると、商品識別情報にて特定される商品を、ユーザ識別情報に関連づけられた受取先へ提供させる。
【００４１】
よって、ユーザは、例えば、コンテンツが記録された記録媒体等の商品を得るために店まで足を運ぶという面倒な作業を行わなくて済むようになる。また、商品がコンテンツである場合に、ユーザはコンテンツを格納できない送信装置を用いて所望のコンテンツを要求し、その商品を入手することが可能になる。
【００４２】
また、本発明のプログラムは、ユーザ識別情報に関連づけて受取先を格納する関連情報格納部に接続されたコンピュータに、送信装置が送信した商品識別情報にて特定される商品を、前記送信装置が送信した前記ユーザ識別情報に関連づけられた受取先へ提供させる商品提供処理を実行させるプログラムであって、前記送信装置から、前記商品識別情報と前記ユーザ識別情報とを受信する受信処理と、前記受信された商品識別情報にて特定される商品を、前記受信されたユーザ識別情報に関連づけられた受取先へ提供させる提供処理と、を含む商品提供処理を、前記コンピュータに実行させる。
【００４３】
上記の発明によれば、上記商品提供方法をコンピュータに実行させることが可能になる。
【発明の効果】
【００４４】
本発明によれば、ユーザは、携帯端末装置または携帯記録媒体を用いることによって、手軽に商品を得ることが可能になる。
【発明を実施するための最良の形態】
【００４５】
以下、本発明の実施例を、図面を参照して説明する。
【００４６】
図１は、本発明の一実施例の商品提供システムを示したブロック図である。
【００４７】
図１において、本商品提供システムは、コンテンツ提供システムであり、表示媒体１と、携帯端末装置２と、格納装置３と、コンテンツ提供サーバ４とを含む。
【００４８】
携帯端末装置２は、基地局５および公衆回線網６を介して、コンテンツ提供サーバ４と接続する。また、コンテンツ提供サーバ４は、ブロードバンド通信網の一例であるケーブルＴＶ通信網７を介して、格納装置３と接続する。
【００４９】
なお、ブロードバンド通信網は、ケーブルＴＶ通信網７に限らず適宜変更可能である。例えば、ブロードバンド通信網は、光ケーブル網でもよい。
【００５０】
表示媒体１は、例えば、ポスター、チラシ、雑誌等の書籍、電車やバス等の中吊りまたはつり革に取り付けられた広告媒体である。また、表示媒体１は、街頭大型表示装置でもよい。
【００５１】
なお、表示媒体１は、多くの人の目に留まる場所（例えば、駅、電車の中、バスの中、街頭、病院の待合室、集会場、飲食店内、または、遊園地等のアミューズメント施設）に設置されることが望ましい。
【００５２】
例えば、表示媒体１が印刷物であると、表示媒体１を簡単に設けることができ、また、簡単に設置することが可能になる。
【００５３】
表示媒体１は、コンテンツ関連情報１１と、コード情報１２とを表示する。表示媒体１は、例えば、コンテンツ提供サーバ４の運営者によって提供されることが望ましい。
【００５４】
コンテンツ関連情報１１は、所定のデジタルコンテンツに関連する情報、例えば、所定のデジタルコンテンツの広告である。
【００５５】
所定のデジタルコンテンツは、商品の一例であり、例えば、映画、テレビ番組、音楽、電子書籍、店に関する情報、または、地域に関する情報である。
【００５６】
なお、商品は、デジタルコンテンツに限らず適宜変更可能であり、例えば、雑誌等の書籍、家電製品または食品等の物品でもよい。
【００５７】
コード情報１２は、所定のデジタルコンテンツを特定するためのコンテンツＩＤ１２ａと、その所定のデジタルコンテンツの提供を指示できるコンテンツ提供サーバ４を特定するためのサーバＵＲＬ１２ｂと、表示媒体１の位置を示す位置情報１２ｃとを含む。
【００５８】
具体的には、コード情報１２は、コンテンツＩＤ１２ａと、サーバＵＲＬ１２ｂと、位置情報１２ｃとをコード化（例えば、バーコード化、ＱＲコード化、または、数値コード化）した情報である。
【００５９】
コンテンツＩＤ１２ａは、商品識別情報（コンテンツ識別情報）の一例であり、サーバＵＲＬ１２ｂは、格納装置識別情報の一例である。なお、格納装置識別情報は、サーバＵＲＬに限らず適宜変更可能である。
【００６０】
携帯端末装置２は、送信装置の一例であり、例えば、カメラ付き携帯電話機のような携帯通信端末装置である。
【００６１】
携帯端末装置２は、表示部２１と、入力部２２と、メモリ２３と、通信部２４と、撮像部２５と、ＣＰＵ２６とを含む。
【００６２】
表示部２１は、種々の情報を表示する。
【００６３】
入力部２２は、例えばシャッタボタンおよびテンキーなどを含む操作ボタンであり、ユーザから種々の入力を受け付ける。
【００６４】
メモリ２３は、格納部の一例であり、携帯端末装置２を特定するためのユーザＩＤ２３ａを格納する。なお、ユーザＩＤ２３ａは、ユーザ識別情報の一例である。
【００６５】
通信部２４は、送信部の一例であり、基地局５および公衆回線網６を介して、コンテンツ提供サーバ４と通信する。
【００６６】
撮像部２５は、取得部の一例であり、表示媒体１からコード情報１２を取得する。具体的には、撮像部２５がコード情報１２を向いている状態で、入力部２２のシャッタボタンが操作されると、撮像部２５は、ＣＰＵ２６に制御されてコード情報１２を示す画像データを生成する。撮像部２５は、その画像データをＣＰＵ２６に提供する。
【００６７】
なお、ユーザが、表示媒体１のコード情報１２を見て、そのコード情報１２を入力部２２に入力してもよい。この場合、入力部２２は、コード情報１２をＣＰＵ２６に提供する。
【００６８】
また、携帯端末装置２がさらにバーコードリーダを備えている場合、バーコードリーダが、バーコードのコード情報１２を読み取り、そのバーコードのコード情報１２をデコードしてコンテンツＩＤ１２ａと、サーバＵＲＬ１２ｂと、位置情報１２ｃとを得る。バーコードリーダは、コンテンツＩＤ１２ａと、サーバＵＲＬ１２ｂと、位置情報１２ｃとをＣＰＵ２６に提供する。
【００６９】
ＣＰＵ２６は、携帯端末装置２全体を制御する。
【００７０】
ＣＰＵ２６は、撮像部２５から画像データを受け付けると、その画像データをデコードして、コンテンツＩＤ１２ａと、サーバＵＲＬ１２ｂと、位置情報１２ｃとを得る。
【００７１】
また、ＣＰＵ２６は、入力部２２からコード情報１２を受け付けると、そのコード情報１２をデコードして、コンテンツＩＤ１２ａと、サーバＵＲＬ１２ｂと、位置情報１２ｃとを得る。
【００７２】
ＣＰＵ２６は、コンテンツＩＤ１２ａと、サーバＵＲＬ１２ｂと、位置情報１２ｃとを得ると、コンテンツＩＤ１２ａと、位置情報１２ｃと、メモリ２３に格納されているユーザＩＤ２３ａとを、通信部２４から、サーバＵＲＬ１２ｂにて特定されるコンテンツ提供サーバ４に提供する。
【００７３】
よって、ユーザが、撮像部２５がコード情報１２を向いている状態で入力部２２のシャッタボタンを操作するだけで、つまり、ワンタッチ操作で、コンテンツＩＤ１２ａと位置情報１２ｃとユーザＩＤ２３ａとが、携帯端末装置２からコンテンツ提供サーバ４に提供される。
【００７４】
なお、ＣＰＵ２６は、撮像部２５から画像データを受け付けた後に、入力部２２がデコード指示を受け付けた場合に、その画像データをデコードして、コンテンツＩＤ１２ａと、サーバＵＲＬ１２ｂと、位置情報１２ｃとを得てもよい。
【００７５】
また、ＣＰＵ２６は、入力部２２からコード情報１２を受け付けた後に、入力部２２がデコード指示を受け付けた場合に、そのコード情報１２をデコードして、コンテンツＩＤ１２ａと、サーバＵＲＬ１２ｂと、位置情報１２ｃとを得てもよい。
【００７６】
また、ＣＰＵ２６は、それらコンテンツＩＤ１２ａと、サーバＵＲＬ１２ｂと、位置情報１２ｃとを表示部２１に一旦表示してもよい。
【００７７】
ＣＰＵ２６は、その後、入力部２２が送信指示を受け付けられた場合に、コンテンツＩＤ１２ａと、位置情報１２ｃと、ユーザＩＤ２３ａとを、通信部２４からコンテンツ提供サーバ４に提供してもよい。
【００７８】
この場合、ユーザの確認が得られた後に、コンテンツＩＤ１２ａと位置情報１２ｃとユーザＩＤ２３ａとが送信されるため、誤った情報を送信してしまう可能性を低くできる。
【００７９】
格納装置３は、例えば、ケーブルテレビ受信端末装置、または、ＰＣであり、複数のデジタルコンテンツを格納可能で、携帯端末装置２と対応づけられている。なお、格納装置３は、デジタルコンテンツを再生可能であることが望ましい。
【００８０】
コンテンツ提供サーバ４は、商品提供装置の一例であり、通信部４０１と、コンテンツ格納部４０２と、関連情報格納部４０３と、受信情報格納部４０４と、日時出力部４０５と、課金管理情報格納部４０６と、課金情報格納部４０７と、通信部４０８と、プログラム格納部４０９と、ＣＰＵ４１０とを含む。
【００８１】
通信部４０１は、受信部の一例であり、公衆回線網６および基地局５を介して、携帯端末装置２と通信する。
【００８２】
例えば、通信部４０１は、携帯端末装置２から、コンテンツＩＤ１２ａと、位置情報１２ｃと、ユーザＩＤ２３ａとを受信する。
【００８３】
通信部４０１は、コンテンツＩＤ１２ａと、位置情報１２ｃと、ユーザＩＤ２３ａとを受信すると、そのコンテンツＩＤ１２ａ、位置情報１２ｃおよびユーザＩＤ２３ａをＣＰＵ４１０に提供する。
【００８４】
コンテンツ格納部４０２は、コンテンツＩＤに関連づけて、そのコンテンツＩＤにて特定されるデジタルコンテンツ（以下「コンテンツ」と称する。）を格納する。なお、コンテンツは、ＤＶＤに記録されるような蓄積型である。また、コンテンツは、商品の一例である。
【００８５】
図２は、コンテンツ格納部４０２の一例を示した説明図である。
【００８６】
図２において、コンテンツ格納部４０２は、コンテンツＩＤ４０２ａと、そのコンテンツＩＤにて特定されるコンテンツ４０２ｂとを、互いに関連づけて格納する。
【００８７】
図１に戻って、関連情報格納部４０３は、ユーザＩＤに関連づけて、格納装置を特定するための格納装置識別情報を格納する。
【００８８】
図３は、関連情報格納部４０３の一例を示した説明図である。
【００８９】
図３において、関連情報格納部４０３は、ユーザＩＤ４０３ａと、そのユーザＩＤ４０３ａに対応する格納装置を特定するための格納装置識別情報４０３ｂとを、互いに関連づけて格納する。なお、格納装置識別情報４０３ｂは、受取先の一例である。
【００９０】
図１に戻って、受信情報格納部４０４は、通信部４０１が受信した情報を格納する。具体的には、受信情報格納部４０４は、コンテンツＩＤ１２ａと、位置情報１２ｃと、ユーザＩＤ２３ａとを互いに関連づけて格納する。
【００９１】
図４は、受信情報格納部４０４の一例を示した説明図である。
【００９２】
コンテンツ提供サーバ４の管理者は、受信情報格納部４０４に格納されたコンテンツＩＤ１２ａおよび位置情報１２ｃにより、どの場所でどのようなコンテンツが要求されたかを確認することが可能になる。
【００９３】
なお、受信情報格納部４０４は、ユーザＩＤ２３ａを格納しなくてもよい。
【００９４】
しかしながら、ユーザＩＤ２３ａも一緒に格納されると、コンテンツＩＤ１２ａの受取状態、換言すると、商品の注文状態を、ユーザＩＤ単位で管理することが可能となる。
【００９５】
よって、コンテンツ提供サーバ４が、ユーザからユーザＩＤとともに商品の注文状態の問合せを受けた場合、ＣＰＵ４１０が、そのユーザＩＤに関連づけられたコンテンツＩＤ１２ａを受信情報格納部４０４から読み取り、その読み取り結果を、そのユーザに提供することが可能になる。
【００９６】
図１に戻って、日時出力部４０５は、現在の日時を示す日時情報を生成する。
【００９７】
課金管理情報格納部４０６は、各コンテンツの課金を管理するための課金管理情報を格納する。
【００９８】
図５は、課金管理情報の一例を示した説明図である。
【００９９】
図５において、課金管理情報４０６ａでは、コンテンツＩＤ４０６ａ１と、そのコンテンツＩＤ４０６ａ１にて特定されるコンテンツの料金がＸ円である期間を示す料金Ｘ円期間４０６ａ２と、そのコンテンツの料金がＹ円である期間を示す料金Ｙ円期間４０６ａ３とが、互いに関連づけられている。
【０１００】
なお、課金管理情報は、図５に示したものに限らず適宜変更可能である。
【０１０１】
図１に戻って、課金情報格納部４０７は、ユーザＩＤごとの課金状態を格納する。
【０１０２】
図６は、課金情報格納部４０７の一例を示した説明図である。
【０１０３】
図６において、課金情報格納部４０７は、ユーザＩＤ４０７ａと、そのユーザＩＤに対する課金状態４０７ｂとを、互いに関連づけて格納する。
【０１０４】
図１に戻って、通信部４０８は、ケーブルＴＶ通信網７を介して、格納装置３と通信する。
【０１０５】
プログラム格納部４０９は、コンピュータにて読み取り可能な記録媒体の一例である。プログラム格納部４０９には、コンテンツ提供サーバ４の動作を規定するプログラムが記録されている。
【０１０６】
ＣＰＵ４１０は、制御部およびコンピュータの一例であり、プログラム格納部４０９に記録されているプログラムを読み取り、そのプログラムを実行して種々の機能を実現する。
【０１０７】
例えば、ＣＰＵ４１０は、通信部４０１がコンテンツＩＤ１２ａ、位置情報１２ｃおよびユーザＩＤ２３ａを受け付けると、それらコンテンツＩＤ１２ａ、位置情報１２ｃおよびユーザＩＤ２３ａを受信情報格納部４０４に格納する。
【０１０８】
また、ＣＰＵ４１０は、コンテンツＩＤ１２ａに関連づけられたコンテンツ４０２ｂをコンテンツ格納部４０２から読み出し、また、ユーザＩＤ２３ａに関連づけられた格納装置識別情報４０３ｂを関連情報格納部４０３から読み出す。
【０１０９】
ＣＰＵ４１０は、通信部４０８に、その読み出されたコンテンツ４０２ｂを、その読み出された格納装置識別情報４０３ｂにて特定される格納装置３へ、ケーブルＴＶ通信網７を介して送信させ、格納装置３にそのコンテンツ４０２ｂを格納する。
【０１１０】
また、ＣＰＵ４１０は、コンテンツＩＤ１２ａ、位置情報１２ｃおよびユーザＩＤ２３ａを受け付けると、そのときの日時、すなわち、受信日時を日時出力部４０５から取得する。
【０１１１】
ＣＰＵ４１０は、課金管理情報格納部４０６を参照して、その受信日時とコンテンツＩＤ１２ａとに対応する料金を決定する。例えば、コンテンツＩＤ１２ａがａａａで、受信日時がｎｎ年ｎ月ｎ日であると、ＣＰＵ４１０は、課金管理情報格納部４０６を参照して、料金Ｘ円を決定する。
【０１１２】
ＣＰＵ４１０は、その決定された料金を、課金情報格納部４０７にてユーザＩＤ２３ａに関連づけられた課金状態４０７に加算する。
【０１１３】
ＣＰＵ４１０は、課金状態４０７に関連づけられたユーザＩＤ２３ａに対して、その課金状態４０７を請求する請求書を作成し、ユーザＩＤ２３ａにて特定されるユーザ携帯端末装置２に、通信部４０１から送信してもよい。
【０１１４】
なお、コンテンツ格納部４０２と、関連情報格納部４０３と、受信情報格納部４０４と、課金管理情報格納部４０６と、課金情報格納部４０７とは、１つのメモリ内に設けられてもよい。
【０１１５】
この場合、そのメモリは、コンテンツ格納部４０２に対応する格納領域と、関連情報格納部４０３に対応する格納領域と、受信情報格納部４０４に対応する格納領域と、課金管理情報格納部４０６に対応する格納領域と、課金情報格納部４０７に対応する格納領域とを含む。
【０１１６】
次に、動作を説明する。
【０１１７】
図７は、コンテンツ提供システムの動作を説明するためのシーケンス図である。
【０１１８】
以下、図７を参照してコンテンツ提供システムの動作を説明する。
【０１１９】
例えば、携帯端末装置２のユーザは、表示媒体１に示されたコンテンツ関連情報１１を見て、コンテンツ関連情報１１に関連する所定のコンテンツを入手したくなると、撮像部２５をコード情報１２に向けた状態で入力部２２のシャッタボタンを操作する。
【０１２０】
携帯端末装置２のＣＰＵ２６は、入力部２２のシャッタボタンが操作されると、ステップ７０１を実行する。
【０１２１】
ステップ７０１では、ＣＰＵ２６は、撮像部２５にコード情報１２を撮像させる。撮像部２５は、その画像データをＣＰＵ２６に提供する。ＣＰＵ２６は、撮像部２５から画像データを受け付けると、ステップ７０２を実行する。
【０１２２】
ステップ７０２では、ＣＰＵ２６は、その画像データをデコードして、コンテンツＩＤ１２ａと、サーバＵＲＬ１２ｂと、位置情報１２ｃとを得る。ＣＰＵ２６は、それらコンテンツＩＤ１２ａと、サーバＵＲＬ１２ｂと、位置情報１２ｃとを得ると、ステップ７０３を実行する。
【０１２３】
ステップ７０３では、ＣＰＵ２６は、コンテンツＩＤ１２ａと、位置情報１２ｃと、メモリ２３に格納されているユーザＩＤ２３ａとを、通信部２４から、サーバＵＲＬ１２ｂにて特定されるコンテンツ提供サーバ４に送信する。
【０１２４】
通信部２４が、コンテンツＩＤ１２ａと、位置情報１２ｃと、ユーザＩＤ２３ａとをコンテンツ提供サーバ４に送信すると、コンテンツ提供サーバ４は、ステップ７０４を実行する。
【０１２５】
ステップ７０４では、コンテンツ提供サーバ４の通信部４０１は、コンテンツＩＤ１２ａと、位置情報１２ｃと、ユーザＩＤ２３ａとを受信する。通信部４０１は、そのコンテンツＩＤ１２ａ、位置情報１２ｃおよびユーザＩＤ２３ａをＣＰＵ４１０に提供する。
【０１２６】
ＣＰＵ４１０は、コンテンツＩＤ１２ａ、位置情報１２ｃおよびユーザＩＤ２３ａを受け付けると、ステップ７０５を実行する。
【０１２７】
ステップ７０５では、ＣＰＵ４１０は、それらコンテンツＩＤ１２ａ、位置情報１２ｃおよびユーザＩＤ２３ａを受信情報格納部４０４に格納する。ＣＰＵ４１０は、それらを受信情報格納部４０４に格納すると、ステップ７０６を実行する。
【０１２８】
ステップ７０６では、ＣＰＵ４１０は、そのコンテンツＩＤ１２ａに関連づけられたコンテンツ４０２ｂをコンテンツ格納部４０２から読み出す。ＣＰＵ４１０は、コンテンツを読み出すと、ステップ７０７を実行する。
【０１２９】
ステップ７０７では、ＣＰＵ４１０は、そのユーザＩＤ２３ａに関連づけられた格納装置識別情報４０３ｂを関連情報格納部４０３から読み出す。ＣＰＵ４１０は、格納装置識別情報４０３ｂを読み出すと、ステップ７０８を実行する。
【０１３０】
ステップ７０８では、ＣＰＵ４１０は、その読み出されたコンテンツ４０２ｂを、その読み出された格納装置識別情報４０３ｂにて特定される格納装置３に、通信部４０８からケーブルＴＶ通信網７を介して送信して、そのコンテンツ４０２ｂを格納装置３に格納する。ＣＰＵ４１０は、コンテンツを送信すると、ステップ７０９を実行する。
【０１３１】
ステップ７０９では、ＣＰＵ４１０は、課金処理を実行する。
【０１３２】
具体的には、まず、ＣＰＵ４１０は、コンテンツＩＤ１２ａ、位置情報１２ｃおよびユーザＩＤ２３ａを受信した日時を日時出力部４０５から取得し、課金管理情報格納部４０６を参照して、その受信した日時とコンテンツＩＤ１２ａに対応する料金を決定する。
【０１３３】
続いて、ＣＰＵ４１０は、その決定された料金を、課金情報格納部４０７でユーザＩＤ２３ａに関連づけられた課金状態４０７に加算する。
【０１３４】
本実施例によれば、携帯端末装置２は、表示媒体１からコンテンツＩＤを取得すると、コンテンツＩＤとユーザＩＤとをコンテンツ提供サーバ４に送信する。コンテンツ提供サーバ４は、コンテンツＩＤおよびユーザＩＤを受信すると、コンテンツＩＤに関連づけられたコンテンツを、ユーザＩＤに関連づけられた格納装置３に提供する。
【０１３５】
このため、ユーザは、表示媒体１から所望のコンテンツのコンテンツＩＤを得ることができ、携帯端末装置２を用いて所望のコンテンツを要求できる。また、所望のコンテンツは、携帯端末装置２と異なる格納装置３に格納される。
【０１３６】
したがって、ユーザは、入力部２２を操作してコンテンツＩＤを取得するという、ワンタッチで簡単な操作を行うだけで、所望のコンテンツを入手することが可能となる。例えば、ユーザが、入力部２２を操作してコンテンツＩＤを取得するだけで、所望のコンテンツが、自宅にある格納装置３に届けられる。
【０１３７】
よって、ユーザは、コンテンツが記録された記録媒体（例えば、ＤＶＤ）を得るために店まで足を運ぶという面倒な作業を行わなくて済むようになる。また、ユーザはコンテンツを格納できない携帯端末装置２を用いて所望のコンテンツを要求することが可能になる。
【０１３８】
なお、表示媒体１が、多くの人の目に留まる場所（例えば、駅、電車のつり革または中吊り、バス等の車中、街頭、病院の待合室、飲食店内、または、遊園地等のアミューズメント施設）に設置されれば、ユーザは、コンテンツＩＤを取得しやすくなる。
【０１３９】
例えば、ユーザは、通勤途中、通学途中、帰宅途中、外食中、または、何らかの待ち時間の間に、表示媒体１を目にすれば、その場でコンテンツ識別情報を取得して所望のコンテンツを要求することが可能になる。
【０１４０】
よって、ユーザは、所望のコンテンツを手に入れたいと思ったら、直ちに、その所望のコンテンツを注文することが可能となる。よって、ユーザが所望のコンテンツを入手し忘れる確率を低くすることが可能になる。
【０１４１】
ユーザがコンテンツを注文しやすくなり、また、ユーザがコンテンツを注文し忘れなくなると、コンテンツ提供サーバ４によるコンテンツ配信が盛んになる可能性が高くなる。よって、コンテンツ提供による事業の運営を良好にすることが可能になる。
【０１４２】
なお、本実施例では、表示媒体１は、位置情報をさらに示し、携帯端末装置２は、表示媒体１から位置情報をさらに取得し、コンテンツ提供サーバ４に位置情報をさらに送信し、コンテンツ提供サーバ４は、位置情報をさらに受信し、コンテンツＩＤおよび位置情報を互いに関連づけて受信情報格納部４０４に格納する。
【０１４３】
この場合、受信情報格納部４０４に格納された情報を用いて、地域ごとに好まれるコンテンツを調査することが可能になる。例えば、受信情報格納部４０４に格納された情報を用いて、どこで、どのような商品が好まれているのかを調べることが可能になる。このため、受信情報格納部４０４に格納された情報をマーケティングに利用することが可能になる。
【０１４４】
また、本実施例では、コンテンツ提供サーバ４のＣＰＵ４１０は、通信部４０１がコンテンツＩＤおよびユーザＩＤを受信すると、コンテンツＩＤおよびユーザＩＤを受信した日時を日時出力部４０５から取得し、その受信した日時とコンテンツＩＤとに基づいて、ユーザＩＤにて識別される携帯端末装置に対する課金を制御する。
【０１４５】
この場合、コンテンツの料金が日付によって変更されても、その変更された料金を自動的に管理することが可能になる。
【０１４６】
また、本実施例では、表示媒体１は、サーバＵＲＬをさらに示し、携帯端末装置２は、表示媒体１からサーバＵＲＬをさらに取得し、コンテンツＩＤとユーザＩＤとを、サーバＵＲＬにて特定されるコンテンツ提供サーバ４に送信する。
【０１４７】
この場合、コンテンツＩＤとユーザＩＤとをコンテンツ提供サーバ４に送信しやすくなる。
【０１４８】
次に、他の実施例を説明する。
【０１４９】
図８は、本発明の他の実施例のコンテンツ提供システムを示したブロック図である。図８において、図１に示したものと同一のものには同一符号を付してある。本コンテンツ提供システムでは、携帯端末装置２のかわりにＩＣカード８が用いられ、表示媒体１のかわりに通信装置９が用いられる。
【０１５０】
以下では、図１に示したコンテンツ提供システムと異なる点を中心に説明する。
【０１５１】
図８において、本コンテンツ提供システムは、ＩＣカード８と、通信装置９と、格納装置３と、コンテンツ提供サーバ４とを含む。
【０１５２】
ＩＣカード８は、携帯記録媒体の一例であり、格納装置３と対応づけられている。
【０１５３】
ＩＣカード８は、メモリ８１を含む。メモリ８１は、ＩＣカード８を特定するためのユーザＩＤ２３ａを格納する。
【０１５４】
通信装置９は、送信装置の一例であり、コンテンツ関連情報１１を表示し、また、格納部９２と、通信部９３と、読取部９４と、ＣＰＵ９５とを含む。
【０１５５】
格納部９２は、コンテンツＩＤ１２ａと、サーバＵＲＬ１２ｂと、位置情報１２ｃとを格納する。
【０１５６】
通信部９３は、送信部の一例であり、基地局５および公衆回線網６を介して、コンテンツ提供サーバ４と通信する。なお、通信部９３は、無線ＬＡＮ等を介して、コンテンツ提供サーバ４と通信してもよい。
【０１５７】
読取部９４は、取得部の一例であり、ＩＣカード８のメモリ８１からユーザＩＤ２３ａを接触式または非接触式で読み取る。読取部９４は、そのユーザＩＤ２３ａをＣＰＵ９５に提供する。
【０１５８】
ＣＰＵ９５は、制御部の一例であり、ユーザＩＤ２３ａを受け付けると、そのユーザＩＤ２３ａと、格納部９２に格納されたコンテンツＩＤ１２ａおよび位置情報１２ｃとを、通信部９３から、サーバＵＲＬ１２ｂにて特定されるコンテンツ提供サーバ４に送信する。
【０１５９】
次に、動作を説明する。
【０１６０】
例えば、ＩＣカード８のユーザは、通信装置９に示されたコンテンツ関連情報１１を見て、コンテンツ関連情報１１に関連する所定のコンテンツを入手したくなると、通信装置９の読取部９４に、ＩＣカード８に格納されているユーザＩＤ２３ａを読み取らせる。
【０１６１】
読取部９４は、そのユーザＩＤ２３ａをＣＰＵ９５に提供する。
【０１６２】
ＣＰＵ９５は、ユーザＩＤ２３ａを受け付けると、そのユーザＩＤ２３ａと、格納部９２に格納されたコンテンツＩＤ１２ａおよび位置情報１２ｃとを、通信部９３から、サーバＵＲＬ１２ｂにて特定されるコンテンツ提供サーバ４に提供する。
【０１６３】
コンテンツ提供サーバ４は、ユーザＩＤ２３ａと、コンテンツＩＤ１２ａと、位置情報１２ｃとを受け付けると、図７に示したステップ７０４〜７０９を実行する。
【０１６４】
本実施例によれば、通信装置９は、ＩＣカード８からユーザＩＤを取得すると、コンテンツＩＤとユーザＩＤとをコンテンツ提供サーバ４に送信する。コンテンツ提供サーバ４は、コンテンツＩＤおよびユーザＩＤを受信すると、コンテンツＩＤに関連づけられたコンテンツを、ユーザＩＤに関連づけられた格納装置３に提供する。
【０１６５】
このため、ユーザは、通信装置９に、ＩＣカード８からユーザＩＤを読み取らせるという、簡単な操作を行うだけで、所望のコンテンツを入手することができる。
【０１６６】
例えば、ユーザが、通信装置９にユーザＩＤ２３ａを読み取らせるだけで、所望のコンテンツが、自宅にある格納装置３に届けられる。
【０１６７】
よって、ユーザは、コンテンツが記録された記録媒体（例えば、ＤＶＤ）を得るために店まで足を運ぶという面倒な作業を行わなくて済むようになる。また、ユーザは、コンテンツを格納できないＩＣカード８を用いて、所望のコンテンツを要求することが可能になる。
【０１６８】
なお、通信装置９が、多くの人の目に留まる場所（例えば、駅、電車のつり革または中吊り、バス等の車中、街頭、病院の待合室、飲食店内、または、遊園地等のアミューズメント施設）に設置されれば、ユーザが通信装置９を使用する機会が増す。
【０１６９】
例えば、ユーザは、通勤途中、通学途中、帰宅途中、外食中、または、何らかの待ち時間の間に、通信装置９を目にすれば、その場で、通信装置９にＩＣカード８のユーザＩＤを読み取らせることによって所望のコンテンツを要求することが可能になる。
【０１７０】
よって、ユーザは、所望のコンテンツを手に入れたいと思ったら、直ちに、その所望のコンテンツを注文することが可能となる。よって、ユーザが所望のコンテンツを入手し忘れる確率を低くすることが可能になる。
【０１７１】
ユーザがコンテンツを注文しやすくなり、また、ユーザがコンテンツを注文し忘れなくなると、コンテンツ提供サーバ４によるコンテンツ配信が盛んになる可能性が高くなる。よって、コンテンツ提供による事業の運営を良好にすることが可能になる。
【０１７２】
なお、本実施例では、格納部９２は、通信装置９の位置を示す位置情報をさらに格納し、通信部９３は、コンテンツ提供サーバ４に位置情報をさらに送信し、コンテンツ提供サーバ４は、通信部９３から位置情報をさらに受信し、コンテンツＩＤおよび位置情報を関連づけて受信情報格納部４０４に格納する。
【０１７３】
この場合、コンテンツ提供サーバ４の管理者は、受信情報格納部４０４に格納された情報を用いて、地域ごとに好まれるコンテンツを調査することが可能になる。このため、受信情報格納部４０４に格納された情報をマーケティングに利用することが可能になる。
【０１７４】
また、本実施例では、格納部９２は、サーバＵＲＬをさらに格納し、通信部９３は、コンテンツＩＤとユーザＩＤとを、サーバＵＲＬにて特定されるコンテンツ提供サーバ４に送信する。
【０１７５】
この場合、コンテンツＩＤとユーザＩＤとをコンテンツ提供サーバ４に送信しやすくなる。
【０１７６】
以上説明した各実施例において、図示した構成は単なる一例であって、本発明はその構成に限定されるものではない。
【０１７７】
例えば、コンテンツに有効期限が付与され、格納装置３が、その有効期限まではコンテンツを再生し、それ以降はそのコンテンツを再生できない場合、コンテンツ提供サーバ４は、コンテンツを所定の期間だけ提供することが可能になる。
【０１７８】
この場合、コンテンツ提供サーバ４は、コンテンツのレンタルを管理するように、コンテンツを提供することが可能になる。
【０１７９】
また、コード情報１２が、さらに、ユーザに対する質問（アンケート）を含んでもよい。
【０１８０】
この場合、携帯端末装置２がコード情報１２を取得すると、その質問が表示部２１に表示され、入力部２２が、その質問に対する回答（アンケート結果）を受け付けると、ＣＰＵ２６は、その回答と、ユーザＩＤ２３ａと、コンテンツＩＤ１２ａと、位置情報１２ｃとを、通信部２４からコンテンツ提供サーバ４に送信してもよい。
【０１８１】
この場合、コンテンツ提供サーバ４のＣＰＵ４１０は、その回答と、ユーザＩＤ２３ａと、コンテンツＩＤ１２ａと、位置情報１２ｃとを、受信情報格納部４０４に格納する。
【０１８２】
コンテンツ提供サーバ４の管理者は、受信情報格納部４０４に格納されたアンケート結果を分析することが可能となる。
【０１８３】
また、ＣＰＵ４１０は、アンケート結果を送信したユーザに対して、所定のサービスを提供してもよい。例えば、ＣＰＵ４１０は、回答とともに送られてきたユーザＩＤ２３ａと関連づけられて課金情報格納部４０７に格納されている課金状態４０７ｂから所定の値を減算して、料金を割り引くサービスを実施してもよい。
【０１８４】
この場合、コンテンツ提供サーバ４は、商品の注文を受け付けながら、簡単にアンケートを実施することが可能となる。また、アンケートに参加することによる特典が、ユーザに与えられれば、多くのアンケート結果を得られる可能性が高くなる。
【０１８５】
また、商品は、デジタルコンテンツでなく、雑誌等の書籍、家電製品または食品等の物品でもよい。商品が物品である場合、コンテンツＩＤのかわりに、商品を特定するための商品ＩＤ（商品識別情報）が用いられる。
【０１８６】
この場合、コンテンツ提供サーバ４のコンテンツ格納部４０２は、商品ＩＤと、配送事業者ＩＤとを関連づけて格納する。なお、配送事業所ＩＤは、その商品ＩＤにて特定される商品を配送する配送事業者を特定する情報である。
【０１８７】
また、コンテンツ提供サーバ４の関連情報格納部４０３は、ユーザＩＤと、そのユーザＩＤに対応する受取先（例えば、住所）とを関連づけて格納する。
【０１８８】
コンテンツ提供サーバ４のＣＰＵ４１０は、商品ＩＤとユーザＩＤと位置情報とを受け付けると、その商品ＩＤと、そのユーザＩＤと、そのユーザＩＤに関連づけられた受取先とを、商品ＩＤに関連づけられた配送事業者に送信して、その配送業者に、その商品ＩＤにて特定された商品を、その受取先に届けさせる。
【０１８９】
この場合、ユーザが、簡単な操作を行うだけで、所望の商品が自宅等に届けられる。
【０１９０】
なお、この場合、コンテンツ提供サーバ４は、その物品に関連する情報（例えば、その物品の解説書）を格納装置３に提供してもよい。
【図面の簡単な説明】
【０１９１】
【図１】本発明の一実施例のコンテンツ提供システムを示したブロック図である。
【図２】コンテンツ格納部４０２の一例を示した説明図である。
【図３】関連情報格納部４０３の一例を示した説明図である。
【図４】受信情報格納部４０４の一例を示した説明図である。
【図５】課金管理情報の一例を示した説明図である。
【図６】課金情報格納部４０７の一例を示した説明図である。
【図７】コンテンツ提供システムの動作を説明するためのシーケンス図である。
【図８】本発明の他の実施例のコンテンツ提供システムを示したブロック図である。
【符号の説明】
【０１９２】
１      表示媒体
１１    コンテンツ関連情報
１２    コード情報
１２ａ  コンテンツＩＤ
１２ｂ  サーバＵＲＬ
１２ｃ  位置情報
２      携帯端末装置
２１    表示部
２２    入力部
２３    メモリ
２３ａ  ユーザＩＤ
２４    通信部
２５    撮像部
２６    ＣＰＵ
３      格納装置
４      コンテンツ提供サーバ
４０１  通信部
４０２  コンテンツ格納部
４０３  関連情報格納部
４０４  受信情報格納部
４０５  日時出力部
４０６  課金管理情報格納部
４０７  課金情報格納部
４０８  通信部
４０９  プログラム格納部
４１０  ＣＰＵ
５      基地局
６      公衆回線網
７      ケーブルＴＶ通信網
８      ＩＣカード
８１    メモリ
９      通信装置
９２    格納部
９３    通信部
９４    読取部
９５    ＣＰＵ
【図１】
2007109061.tif 000003
【図２】
2007109061.tif 000004
【図３】
2007109061.tif 000005
【図４】
2007109061.tif 000006
【図５】
2007109061.tif 000007
【図６】
2007109061.tif 000008
【図７】
2007109061.tif 000009
【図８】
2007109061.tif 000010